(57)【要約】      （修正有）【課題】画像非表示状態において、表示装置の表示面と表示装置の周辺に設けられた部材との境目を目立ちにくくする表示装置を提供する。【解決手段】パネル付き表示装置１０は、表示装置２０と、パネル部材４０と、暗色シート５０と、を備える。表示装置２０は、表示面２１を有する。パネル部材４０は、表示面２１への法線方向からの観察において表示面２１と境目を形成するように配置される。暗色シート５０は、表示面２１とパネル部材４０との境目を覆うように配置される。透過光によって測定される暗色シート５０のＬ＊ａ＊ｂ＊表色系におけるＬ＊の値であるＬ＊１は、２０以下である。【選択図】図１
2019117223.tif 000002
【特許請求の範囲】
【請求項１】
表示面を有する表示装置と、
前記表示面への法線方向からの観察において前記表示面と境目を形成するように配置されたパネル部材と、
前記表示面と前記パネル部材との前記境目を覆うように配置された暗色シートと、を備え、
透過光によって測定される前記暗色シートのＬ＊ａ＊ｂ＊表色系におけるＬ＊の値であるＬ＊１は、２０以下である、パネル付き表示装置。
【請求項２】
透過光によって測定される前記暗色シートのＬ＊ａ＊ｂ＊表色系におけるａ＊の値であるａ＊１およびｂ＊の値であるｂ＊１は、次の関係を満たす、請求項１に記載のパネル付き表示装置。
（（ａ＊１）２＋（ｂ＊１）２）１／２≦４８
【請求項３】
前記暗色シートは、黒色顔料を含む、請求項１または２に記載のパネル付き表示装置。
【請求項４】
前記暗色シートの可視光透過率は、４０％以上６０％以下である、請求項１乃至３のいずれか一項に記載のパネル付き表示装置。
【請求項５】
前記表示面への法線方向からの観察において、前記表示装置の前記表示面と前記暗色シートとが重なっている部分の反射光によって測定される当該パネル付き表示装置のＬ＊ａ＊ｂ＊表色系におけるＬ＊の値であるＬ＊ａと、前記パネル部材と前記暗色シートとが重なっている部分の反射光によって測定される当該パネル付き表示装置のＬ＊ａ＊ｂ＊表色系におけるＬ＊の値であるＬ＊ｂとは、次の関係を満たす、請求項１乃至４のいずれか一項に記載のパネル付き表示装置。
│Ｌ＊ａ−Ｌ＊ｂ│≦３
【発明の詳細な説明】
【技術分野】
【０００１】
本発明は、パネル付き表示装置に関する。
【背景技術】
【０００２】
例えば特許文献１に記載されているような、画像光を表示する表示装置が知られている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に画像を表示する機能が期待されているだけでなく、意匠面における周囲環境との調和も要求されている。
【先行技術文献】
【特許文献】
【０００３】
【特許文献１】特開平９−１１４００３号公報
【発明の概要】
【発明が解決しようとする課題】
【０００４】
ところで、画像非表示の状態において、表示装置の表示面の存在が目立つことがあった。画像非表示の状態において、表示装置の表示面の存在が目立つと、周囲環境との意匠性の調和が乱されてしまう。そこで、画像非表示状態の表示装置の表示面と同様の意匠を有する部材、典型的には黒色の部材を表示装置の周辺に設けることが考えられた。しかしながら、図５に示すように、単に表示装置の周辺に黒色の部材を設けることでは、表示装置の存在を十分に目立たなくすることができなかった。本件発明者らが確認したところ、表示面は、表示装置の表示面と表示装置の周辺に設けられた部材との境目が認識されることで目立っていた。したがって、表示装置の表示面と表示装置の周辺に設けられた部材との境目を目立たせないことが望まれている。
【０００５】
本発明は、このような点を考慮してなされたものであり、画像非表示状態において、表示装置の表示面と表示装置の周辺に設けられた部材との境目を目立ちにくくすることを目的とする。
【課題を解決するための手段】
【０００６】
本発明のパネル付き表示装置は、
表示面を有する表示装置と、
前記表示面への法線方向からの観察において前記表示面と境目を形成するように配置されたパネル部材と、
前記表示面と前記パネル部材との前記境目を覆うように配置された暗色シートと、を備え、
透過光によって測定される前記暗色シートのＬ＊ａ＊ｂ＊表色系におけるＬ＊の値であるＬ＊１は、２０以下である。
【０００７】
本発明のパネル付き表示装置において、透過光によって測定される前記暗色シートのＬ＊ａ＊ｂ＊表色系におけるａ＊の値であるａ＊１およびｂ＊の値であるｂ＊１は、次の関係を満たしてもよい。
（（ａ＊１）２＋（ｂ＊１）２）１／２≦４８
【０００８】
本発明のパネル付き表示装置において、前記暗色シートは、黒色顔料を含んでもよい。
【０００９】
本発明のパネル付き表示装置において、前記暗色シートの可視光透過率は、４０％以上６０％以下であってもよい。
【００１０】
本発明のパネル付き表示装置において、前記表示面への法線方向からの観察において、前記表示装置の前記表示面と前記暗色シートとが重なっている部分の反射光によって測定される当該パネル付き表示装置のＬ＊ａ＊ｂ＊表色系におけるＬ＊の値であるＬ＊ａと、前記パネル部材と前記暗色シートとが重なっている部分の反射光によって測定される当該パネル付き表示装置のＬ＊ａ＊ｂ＊表色系におけるＬ＊の値であるＬ＊ｂとは、次の関係を満たしてもよい。
│Ｌ＊ａ−Ｌ＊ｂ│≦３
【発明の効果】
【００１１】
本発明によれば、画像非表示状態において、表示装置の表示面と表示装置の周辺に設けられた部材との境目を目立ちにくくすることができる。
【図面の簡単な説明】
【００１２】
【図１】図１は、パネル付き表示装置の各要素を概略的に示す分解斜視図である。
【図２】図２は、パネル付き表示装置の断面図である。
【図３】図３は、表示面に画像を表示した状態のパネル付き表示装置を示す正面図である。
【図４】図４は、表示面に画像を表示しない状態のパネル付き表示装置を示す正面図である。
【図５】図５は、表示面に画像を表示しない状態の従来の表示装置を示す正面図である。
【発明を実施するための形態】
【００１３】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１４】
なお、本明細書において、「層」、「シート」及び「フィルム」の用語は、呼称の違いのみに基づいて互いから区別されるものではない。例えば「シート」という用語は、層或いはフィルムと呼ばれ得るような部材も含む概念である。
【００１５】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１６】
図１は、本発明による一実施の形態のパネル付き表示装置１０を概略的に示す分解斜視図である。図１に示されるように、パネル付き表示装置１０は、表示装置２０と、パネル３０と、を備えている。なお、図示されている例では、パネル付き表示装置１０は、平板状に示されているが、後述するようなパネル付き表示装置１０の各構成要素が湾曲することで、パネル付き表示装置１０は、湾曲形状であってもよい。
【００１７】
表示装置２０は、画像光を出射する装置であり、画像光を出射することができる表示面２１を有している。表示装置２０は、液晶ディスプレイやプラズマディスプレイ、有機ＥＬディスプレイ等の任意の表示装置を用いることができる。このような表示装置２０の表示面２１は、典型的にはガラス面となっている。
【００１８】
パネル３０は、表示装置２０の表示面２１側に配置された部材である。パネル３０は、表示面２１に隣接して配置されるパネル部材４０と、パネル部材４０を表示装置２０とは反対側から覆うように配置された暗色シート５０と、を有している。図２に示されているように、パネル部材４０は、表示面２１への法線方向からの観察において表示面２１と境目Ｂを形成するように配置される。また、暗色シート５０の最外面が、パネル付き表示装置１０から画像光を出射する出射面を含む外面１１となっている。すなわち、外面１１には、表示面２１への法線方向からの観察において、表示面２１と暗色シート５０とが重なっている部分である第１部分Ａ１と、パネル部材４０と暗色シート５０とが重なっている部分である第２部分Ａ２と、があり、第１部分Ａ１と第２部分Ａ２との境界が境目Ｂとなっている。また、パネル部材４０は、開口部４７を有している。表示面２１への法線方向からの観察において、表示面２１が開口部４７内に位置している。さらに、暗色シート５０は、可視光を透過させることができる。したがって、表示装置２０の表示面２１から出射した画像光は、開口部４７を介してパネル部材４０を透過することができ、また、暗色シート５０を透過することができる。すなわち、表示装置２０から出射された画像光は、パネル３０を透過することができる。画像光がパネル３０を透過することで、外面１１から画像光が出射され、パネル付き表示装置１０に対面する外部の観察者は、画像光によって形成される画像を観察することができる。
【００１９】
なお、ここで言う画像光の具体的な態様は特に限定されず、画像光は、具体的な種類や内容を問わず、光全般を含み得る。典型的には特定の情報を表す光によって画像光が構成され得るが、他の任意の態様を有する光（例えば不規則な図柄を表す光や何らの特定情報も表さない光等）によって画像光が構成されてもよい。例えば、画像光は、印刷が施された透明なフィルム等を透過させて画像を表示する光であってもよいし、遮光物によって明暗の画像を表示する光であってもよい。
【００２０】
次に、パネル部材４０について説明する。上述したように、パネル部材４０は、表示面２１の法線方向からの観察において、表示面２１と隣接して配置される。すなわち、パネル部材４０は、表示面２１の法線方向からの観察において、表示面２１との間に境目Ｂを形成する。図１及び図２に示す例において、パネル部材４０は、パネル付き表示装置１０を正面から観察した際に、表示装置２０の周辺に設けられている。逆に言えば、パネル部材４０が設けられた領域に表示装置２０が設置され、この表示装置２０がパネル部材４０とともにパネル付き表示装置１０を形成する。パネル部材４０は、表示装置２０の画像非表示時に表示装置２０を目立たせないために、表示装置２０の画像非表示時と同様の意匠を有し、典型的には黒色である。パネル部材４０は、例えば厚さ０．５ｍｍ以上２．０ｍｍ以下の板状部材である。パネル部材４０は、平面状の部材であってもよいし、曲面状の部材であってもよいし、平面状の部分および曲面状の部分を含む部材であってもよい。
【００２１】
図２に示されているように、パネル部材４０は、基材部４１と、基材部４１上に設けられた加飾部４５と、を含んでいる。基材部４１は、パネル部材４０の要素、本実施の形態では加飾部４５を適切に支持することができる部材である。加飾部４５は、パネル部材４０に意匠性を付与するための部材であり、典型的には黒色となっている。このような加飾部４５は、例えば黒色顔料を含む樹脂によって形成される。しかしながら、加飾部４５は、パネル部材４０が設けられる環境に応じて、木目調や大理石調等の任意の意匠性を付与するものであってもよい。
【００２２】
図１に示されるように、パネル部材４０は、矩形の開口部４７を有するロ字型となっている。しかしながら、これに限らず、パネル部材４０は、Ｌ字型、コ字型等の、矩形から一部を除いた形状であってもよい。このような形状でも、表示面２１への法線方向からの観察において表示面２１がパネル部材４０の矩形から除かれた部分内に位置することで、表示面２１から出射した画像光がパネル部材４０を透過することができる。また、パネル部材４０は、矩形に限らず、円形等の任意の形状であってもよい。さらには、開口部４７の形状も任意の形状であってもよい。
【００２３】
次に、暗色シート５０について説明する。暗色シート５０は、表示面２１の正面から観察した際に、表示面２１とパネル部材４０との境目Ｂを覆うように配置される。暗色シート５０は、パネル部材４０の開口部４７より大きくなっている。暗色シート５０は、暗色系の色を有し、典型的には黒色系の色である。具体的には、暗色シート５０は、透過光によって測定されるＬ＊ａ＊ｂ＊表色系におけるＬ＊の値であるＬ＊１が２０以下となっており、透過光によって測定されるＬ＊ａ＊ｂ＊表色系におけるａ＊の値であるａ＊１およびｂ＊の値であるｂ＊１が次の関係を満たしている。
（（ａ＊１）２＋（ｂ＊１）２）１／２≦４８
暗色シート５０がこのような関係を満たす色となるよう、暗色シート５０は、黒色顔料を含むことが好ましい。暗色シート５０に含まれる黒色顔料としては、カーボンブラックやチタンブラック等を例示することができる。
【００２４】
なお、Ｌ＊ａ＊ｂ＊表色系におけるＬ＊の値、ａ＊の値およびｂ＊の値は、色彩計や分光測色計を用いて測定することができる。暗色シート５０のＬ＊の値、ａ＊の値およびｂ＊の値は、例えば分光測色系（コニカミノルタ製「ＣＭ−７００ｄ」）を用いて、暗色シート５０の反射光から測定することができる。また、条件として、主光源はＤ６５を、表示系はＬ＊ａ＊ｂ＊を、色差式はΔＥ＊ａｂ（ＣＩＥ  １９７６）を用いる。
【００２５】
また、上述したように、暗色シート５０は、可視光を透過させることができる。具体的には、暗色シート５０の可視光透過率は、４０％以上６０％以下となっていることが好ましい。ここで、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。
【００２６】
後述するように、暗色シート５０によって、表示装置２０の表示面２１と表示装置２０の周辺に設けられた部材であるパネル部材４０との境目Ｂを目立ちにくくすることができる。すなわち、上述したパネル付き表示装置１０を表示装置２０の表示面２１への法線方向から観察した際に、図２に示す表示面２１と暗色シート５０とが重なっている部分である第１部分Ａ１の反射光によって測定されるパネル付き表示装置１０のＬ＊ａ＊ｂ＊表色系におけるＬ＊の値であるＬ＊ａと、パネル部材４０と暗色シート５０とが重なっている部分である第２部分Ａ２の反射光によって測定されるパネル付き表示装置１０のＬ＊ａ＊ｂ＊表色系におけるＬ＊の値であるＬ＊ｂとは、次の関係を満たしている。
│Ｌ＊ａ−Ｌ＊ｂ│≦３
【００２７】
ここで、第１部分Ａ１および第２部分Ａ２のパネル付き表示装置１０のＬ＊の値は、分光測色系（コニカミノルタ製「ＣＭ−７００ｄ」）を用いて、当該第１部分Ａ１および第２部分Ａ２でのパネル付き表示装置１０の反射光から測定することができる。また、条件として、主光源はＤ６５を、表示系はＬ＊ａ＊ｂ＊を、色差式はΔＥ＊ａｂ（ＣＩＥ  １９７６）を用いる。
【００２８】
なお、好ましくは、暗色シート５０は、パネル付き表示装置１０を表示面２１の正面から観察した際に、表示面２１の全面を覆うように配置され、より好ましくは表示面２１およびパネル部材４０の全面を覆うように配置される。これによって、暗色シート５０の有無によって生じる差異が視認されることによる意匠性の低下を避けることができる。
【００２９】
次に、本実施の形態のパネル付き表示装置１０の作用について説明する。
【００３０】
図３には、表示面２１に画像を表示した状態の本実施の形態のパネル付き表示装置１０が示されている。上述したように、表示面２１から出射した画像光は、パネル部材４０の開口部４７を通過し且つ暗色シート５０を透過することで、パネル付き表示装置１０の外面１１から出射し、外部の観察者に観察される。とりわけ、暗色シート５０の可視光透過率が４０％以上となっていると、十分な量の画像光が暗色シート５０を透過することができるため、観察者は明瞭な画像を観察することができる。
【００３１】
また、透過光によって測定される暗色シート５０のＬ＊ａ＊ｂ＊表色系におけるａ＊の値であるａ＊１およびｂ＊の値であるｂ＊１が、次の関係を満たしている。
（（ａ＊１）２＋（ｂ＊１）２）１／２≦４８
すなわち、暗色シート５０の彩度は小さくなっている。このため、画像光が暗色シート５０と混合して観察されても、暗色シート５０で特定波長域の可視光が吸収されることに起因して画像の色再現性が劣化することを効果的に抑制することができる。
【００３２】
図４及び図５には、表示面に画像を表示しない状態のパネル付き表示装置が示されている。まず、図５に示されている従来のパネル付き表示装置１１０について説明する。従来のパネル付き表示装置１１０は、表示面１２１を有する表示装置１２０と、開口部１４７を有するパネル部材１４０と、を有するが、本実施の形態とは異なり、暗色シートを有さない。このようなパネル付き表示装置１１０においては、パネル部材１４０の加飾部１４５を画像非表示状態の表示装置１２０の表示面１２１と色や光沢等の外観をできるだけ近づけて設けたとしても、完全に外観を一致させることは現実的には困難である上、表示装置１２０とパネル部材１４０との間の微小な段差等に起因して、表示装置１２０の表示面１２１とパネル部材１４０との境目Ｂが目立ってしまう。このため、従来のパネル付き表示装置１１０では、表示装置１２０の表示面１２１が目立ってしまい、意匠性を劣化させてしまう。
【００３３】
次に、図４に示されている本実施の形態のパネル付き表示装置１０について説明する。上述したように、本実施の形態のパネル付き表示装置１０では、透過光によって測定される暗色シート５０がＬ＊ａ＊ｂ＊表色系におけるＬ＊の値であるＬ＊１が２０以下となっており、この暗色シート５０が表示面２１とパネル部材４０との境目Ｂを覆うように配置されている。したがって、画像非表示状態の表示装置２０の表示面２１、パネル部材４０及び境目Ｂは、暗色シート５０によって、図５に示した従来のパネル付き表示装置１１０に比べて、一様に暗く観察される。このため、表示面２１と暗色シート５０とが重なっている部分である第１部分Ａ１と、パネル部材４０と暗色シート５０とが重なっている部分である第２部分Ａ２との区別がつきにくくなる。言い換えると、表示面２１、パネル部材４０及び境目Ｂの各々の区別がつきにくくなる。すなわち、暗色シート５０によって、境目Ｂが目立ちにくくなる。
【００３４】
とりわけ、暗色シート５０の可視光透過率が６０％以下となっていると、暗色シート５０を透過する光、例えば暗色シート５０を透過して表示面２１で反射し再度暗色シート５０を透過する光が、十分に暗くなる。このため、表示面２１、パネル部材４０及び境目Ｂの各々の区別がよりつきにくくなり、境目Ｂがより目立ちにくくなる。
【００３５】
また、好ましくは、透過光によって測定される暗色シート５０のＬ＊ａ＊ｂ＊表色系におけるａ＊の値であるａ＊１およびｂ＊の値であるｂ＊１は、次の関係を満たしている。
（（ａ＊１）２＋（ｂ＊１）２）１／２≦４８
この関係を満たしていると、暗色シート５０は、彩度の小さい色、すなわち黒色に観察される。したがって、画像非表示状態において、表示面２１、パネル部材４０及び境目Ｂの各々の区別がよりつきにくくなる。
【００３６】
さらに、好ましくは、表示面２１への法線方向からの観察において、パネル付き表示装置１０は、表示面２１と暗色シート５０とが重なっている部分である第１部分Ａ１の反射光によって測定されるパネル付き表示装置１０のＬ＊ａ＊ｂ＊表色系におけるＬ＊の値であるＬ＊ａと、パネル部材４０と暗色シート５０とが重なっている部分である第２部分Ａ２の反射光によって測定されるパネル付き表示装置１０のＬ＊ａ＊ｂ＊表色系におけるＬ＊の値であるＬ＊ｂとは、次の関係を満たしている。
│Ｌ＊ａ−Ｌ＊ｂ│≦３
この関係を満たしていると、第１部分Ａ１と第２部分Ａ２との明度の差が、ほとんど認識されなくなる。すなわち、パネル付き表示装置１０を観察する観察者は、第１部分Ａ１と第２部分Ａ２とを区別して認識することがきわめて困難になる。したがって、観察者は、第１部分Ａ１と第２部分Ａ２との境目Ｂを認識することがきわめて困難になる。
【００３７】
以上のように、本実施の形態のパネル付き表示装置１０は、表示面２１を有する表示装置２０と、表示面２１への法線方向からの観察において表示面２１と境目Ｂを形成するように配置されたパネル部材４０と、表示面２１とパネル部材４０との境目Ｂを覆うように配置された暗色シート５０と、を備え、透過光によって測定される暗色シート５０のＬ＊ａ＊ｂ＊表色系におけるＬ＊の値であるＬ＊１は、２０以下である。このようなパネル付き表示装置１０によれば、表示面２１から画像光が出射されない状態では、暗色シート５０によって、表示面２１、パネル部材４０、及び境目Ｂの各々の区別がつきにくくなる。すなわち、画像非表示状態において、表示装置２０の表示面２１と表示装置２０の周辺に設けられたパネル部材４０との境目Ｂを目立ちにくくすることができる。
【００３８】
また、本実施の形態のパネル付き表示装置１０において、透過光によって測定される暗色シート５０のＬ＊ａ＊ｂ＊表色系におけるａ＊の値であるａ＊１およびｂ＊の値であるｂ＊１は、次の関係を満たす。
（（ａ＊１）２＋（ｂ＊１）２）１／２≦４８
このようなパネル付き表示装置１０によれば、表示面２１から画像光が出射されている状態では、暗色シート５０で特定波長域の可視光が吸収されて観察される画像の色再現性が劣化することを効果的に抑制することができる。また、表示面２１から画像光が出射されていない状態では、暗色シート５０が黒色に観察されるため、表示面２１、パネル部材４０及び境界Ｂの各々の区別がよりつきにくくなり、境目Ｂをより目立ちにくくすることができる。
【００３９】
さらに、本実施の形態のパネル付き表示装置１０において、暗色シート５０の可視光透過率は、４０％以上６０％以下である。このようなパネル付き表示装置１０によれば、表示面２１から画像光が出射されている状態では、十分な量の画像光が暗色シート５０を透過することができるため、観察者は、暗色シート５０に阻害されることなく、明瞭な画像を観察することができる。また、表示面２１から画像光が出射されていない状態では、暗色シート５０を透過する光が十分に暗くなり、表示面２１、パネル部材４０及び境目Ｂの各々の区別がよりつきにくくなる。すなわち、境目Ｂをより目立ちにくくすることができる。
【００４０】
また、本実施の形態のパネル付き表示装置１０において、表示面２１への法線方向からの観察において、表示装置２０の表示面２１と暗色シート５０とが重なっている部分の反射光によって測定されるパネル付き表示装置１０のＬ＊ａ＊ｂ＊表色系におけるＬ＊の値であるＬ＊ａと、パネル部材４０と暗色シート５０とが重なっている部分の反射光によって測定されるパネル付き表示装置１０のＬ＊ａ＊ｂ＊表色系におけるＬ＊の値であるＬ＊ｂとは、次の関係を満たす。
│Ｌ＊ａ−Ｌ＊ｂ│≦３
このようなパネル付き表示装置１０によれば、パネル付き表示装置１０を観察する観察者は、第１部分Ａ１と第２部分Ａ２との明度の違いを認識することがきわめて困難になる。したがって、第１部分Ａ１と第２部分Ａ２との境界である境目Ｂをより目立ちにくくすることができる。
【００４１】
なお、上述した実施の形態に対して様々な変更を加えることが可能である。
【００４２】
上述した実施の形態では、暗色シート５０は、黒色単色となっている。しかしながら、暗色シート５０は、パネル付き表示装置１０が設けられる環境に応じて、木目調や大理石調等の任意の意匠性を付与するものであってもよい。暗色シート５０が付与する意匠とパネル部材４０の加飾部４５が付与する意匠とは、表示面２１とパネル部材４０との境目Ｂを目立たせないために、同一であることが好ましい。
【００４３】
上述したパネル付き表示装置１０は、例えば自動車や鉄道等の車両、航空機、船舶及び宇宙船等の移動体の内装部材または外装部材に用いられる。具体的な一例として、パネル付き表示装置１０は、自動車のセンターコンソールや、ドアトリムに用いられる。あるいは、パネル付き表示装置１０は、建物の内装部材または外装部材、電子機器、家具や電化製品に組み込まれて用いられてもよい。
【００４４】
本発明の態様は、上述した実施の形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００４５】
１０    パネル付き表示装置
１１    外面
２０    表示装置
２１    表示面
３０    パネル
４０    パネル部材
４１    基材部
４５    加飾部
４７    開口部
５０    暗色シート
Ａ１    第１部分
Ａ２    第２部分
Ｂ      境目
【図１】
2019117223.tif 000003
【図２】
2019117223.tif 000004
【図３】
2019117223.tif 000005
【図４】
2019117223.tif 000006
【図５】
2019117223.tif 000007